(57)【要約】【課題】  防塵手段の清掃を効率よく行い、適正な光を被露光媒体に与える画像読取装置を提供する。【解決手段】  画像読取装置であるフィルムスキャナ１０では、レーンチェンジユニット２０によって読取位置を切り替え、フィルムキャリア１２の搬送レーン２６ａ，２６ｂのいずれか一方を搬送されるフィルムに向けて光源ユニット１４から光を発し、スキャナカメラユニット１６によってフィルムに形成される画像の像（光）をデジタルデータに変換する。フィルムキャリア１２には搬送レーン２６ａ，２６ｂの間かつ光照射部３０の主面と対向する位置に清掃ブラシ３６が取り付けられる。清掃ブラシ３６の清掃部４６は光照射部３０に取り付けられた防塵ガラス３４の主面と接する。【選択図】      図１
2005236733.tif 000002
【特許請求の範囲】
【請求項１】
被露光媒体を所定の搬送方向に向けて搬送し前記被露光媒体に形成された画像を読み取る画像読取装置であって、
前記搬送方向と直交する方向に並ぶ複数の搬送路を含み前記複数の搬送路のうち任意の搬送路上に配置される前記被露光媒体を前記搬送方向に向けて搬送する搬送手段、
前記搬送路上の前記被露光媒体に向けて光を発する光源手段、
前記光源手段に取り付けられ前記光源手段への塵埃の侵入を防ぐ透光性の防塵手段、
前記被露光媒体を経由した光を結像する結像手段と前記結像手段によって結像された光を検出し電気信号に変換する光電変換手段とを含み前記被露光媒体に形成される画像を読み取るための読取手段、
前記光源手段と前記読取手段とを連結しかつ前記光源手段と前記読取手段と共に移動可能な連結手段、
前記複数の搬送路のうち任意の搬送路に対応する読取位置に前記光源手段と前記読取手段とを配置できるように前記連結手段を介して前記光源手段と前記読取手段とを前記搬送方向と直交する方向に移動させる位置切替手段、および
前記防塵手段の主面を清掃するための清掃部を含み前記清掃部が隣接する２つの搬送路の間かつ前記搬送手段からみて前記光源手段側に前記防塵手段の主面と接触可能に配置されるように前記搬送手段に設けられる清掃手段を備え、
前記隣接する２つの搬送路に対応する２つの読取位置の間を前記光源手段と前記読取手段とが移動するとき前記防塵手段の主面上に付着する塵埃が前記防塵手段の主面と接触する前記清掃部によって除去される、画像読取装置。
【発明の詳細な説明】
【技術分野】
【０００１】
この発明は画像読取装置に関し、より特定的には、複数の搬送路のうち任意の搬送路に対応する読取位置に光源手段と読取手段とを移動させる画像読取装置に関する。
【背景技術】
【０００２】
一般に、画像読取装置として、被露光媒体の一例である写真用のフィルムから画像を読み取るためのフィルムスキャナが知られている。
フィルムスキャナでは、フィルムキャリアの搬送レーン上を搬送されるフィルムに向けて光源ユニットから光を発し、フィルムを透過した光をスキャナカメラユニットによってデジタルデータに変換し、フィルムに形成される画像を読み取る。
【０００３】
このようなフィルムスキャナに用いられる光源ユニットには、光源ユニット内への塵埃の侵入を防ぐため、フィルムキャリアに向けて発する光の光路上に防塵ガラス等が取り付けられる。特に、フィルムキャリアの下方に光源ユニットを配置し、下方から上方に向けて光を発するように構成されるフィルムスキャナの場合、防塵ガラスによって上方から落下する塵埃の光源ユニット内への侵入が防止され、防塵ガラスは重要な役割を果たす。
【０００４】
防塵ガラスの主面上に付着した塵埃は、フィルムに与えられる光の光量低下や光量斑の原因となるので、必要に応じて防塵ガラスの清掃が行われる。フィルムキャリアは光源ユニットに近設されることが多く、フィルムスキャナからフィルムキャリアを取り外し、布等を用いて防塵ガラスの主面上に付着する塵埃を拭き取ることで防塵ガラスの清掃が行われる。
【０００５】
また、複数の搬送レーンを有するフィルムキャリアを用いるフィルムスキャナでは、フィルムの種類に応じてフィルムキャリアを取り替える必要がなく、フィルムキャリアを強固に固定するように構成されるものもある。この場合、たとえば、フィルムキャリアを取り付けた状態でエアブロー等によって防塵ガラスの主面上に空気を噴き付けて付着する塵埃を飛散させることで、防塵ガラスの清掃が行われる。
【発明の開示】
【発明が解決しようとする課題】
【０００６】
しかし、防塵ガラスの清掃を行うためにフィルムスキャナからフィルムキャリアを取り外すのは煩わしいという問題があった。また、エアブローによって防塵ガラスの清掃を行っても、飛散した塵埃が再び防塵ガラスの主面上に付着し、光量低下や光量斑の原因となる恐れがあった。
【０００７】
それゆえに、この発明の主たる目的は、防塵手段の清掃を効率よく行い、適正な光を被露光媒体に与えることができる、画像読取装置を提供することである。
【課題を解決するための手段】
【０００８】
上述の目的を達成するために、請求項１に記載の画像読取装置は、被露光媒体を所定の搬送方向に向けて搬送し被露光媒体に形成された画像を読み取る画像読取装置であって、搬送方向と直交する方向に並ぶ複数の搬送路を含み複数の搬送路のうち任意の搬送路上に配置される被露光媒体を搬送方向に向けて搬送する搬送手段、搬送路上の被露光媒体に向けて光を発する光源手段、光源手段に取り付けられ光源手段への塵埃の侵入を防ぐ透光性の防塵手段、被露光媒体を経由した光を結像する結像手段と結像手段によって結像された光を検出し電気信号に変換する光電変換手段とを含み被露光媒体に形成される画像を読み取るための読取手段、光源手段と読取手段とを連結しかつ光源手段と読取手段と共に移動可能な連結手段、複数の搬送路のうち任意の搬送路に対応する読取位置に光源手段と読取手段とを配置できるように連結手段を介して光源手段と読取手段とを搬送方向と直交する方向に移動させる位置切替手段、および防塵手段の主面を清掃するための清掃部を含み清掃部が隣接する２つの搬送路の間かつ搬送手段からみて光源手段側に防塵手段の主面と接触可能に配置されるように搬送手段に設けられる清掃手段を備え、隣接する２つの搬送路に対応する２つの読取位置の間を光源手段と読取手段とが移動するとき防塵手段の主面上に付着する塵埃が防塵手段の主面と接触する清掃部によって除去されることを特徴とする。
【０００９】
請求項１に記載の画像読取装置では、清掃部を隣接する２つの搬送路の間かつ搬送手段からみて光源手段側に防塵手段の主面と接触可能に配置するように清掃手段が搬送手段に設けられ、当該隣接する２つの搬送路に対応する２つの読取位置の間を光源手段と読取手段とが移動するとき防塵手段の主面上に付着する塵埃が防塵手段の主面と接触する清掃部によって除去される。したがって、搬送手段に簡単な構成の清掃手段を設けることで読取位置の切り替えに伴って自動的に効率よく防塵手段の清掃を行うことができ、除去された塵埃が再び防塵手段の主面上に付着することもなく、適正な光を被露光媒体に与えることができる。
【発明の効果】
【００１０】
この発明によれば、防塵手段の清掃を効率よく行い、適正な光を被露光媒体に与えることができる。
【発明を実施するための最良の形態】
【００１１】
以下、図面を参照して、この発明の実施の形態について説明する。
図１から図３を参照して、この発明の一実施形態のフィルムスキャナ１０は、被露光媒体の一例である写真用のフィルムを搬送するフィルムキャリア１２、フィルムキャリア１２に向けて光を発する光源ユニット１４、フィルムを透過した光をデジタルデータに変換するスキャナカメラユニット１６、光源ユニット１４とスキャナカメラユニット１６とを連結する連結部材１８、および連結部材１８を介して連結される光源ユニット１４とスキャナカメラユニット１６とを移動させるレーンチェンジユニット２０を含む。
【００１２】
図１に示すように、搬送手段であるフィルムキャリア１２は、ベース２２上に設けられるキャリアベース２４上に介挿部材２５を介して図示しないボルト等によって取り付けられる。
【００１３】
フィルムキャリア１２は、上部キャリア１２ａと下部キャリア１２ｂとによって構成される。下部キャリア１２ｂには、矢印Ａ方向に並び矢印Ａ方向の幅寸法がそれぞれ異なる２つの搬送レーン（搬送路）２６ａ，２６ｂが設けられる。２つの搬送レーン２６ａ，２６ｂ上には、それぞれ種類（矢印Ａ方向の幅寸法）の異なるフィルムが配置される。たとえば、搬送レーン２６ａは１３５フィルムに対応し、搬送レーン２６ｂは２４０（ＡＰＳ）フィルムに対応する。
【００１４】
また、キャリアベース２４内には、光源手段である光源ユニット１４が矢印Ａ方向に移動可能に配置される。光源ユニット１４は、発光体であるＬＥＤ（Light Emitting Diode）２８を含み、光照射部３０から上方に配置されるフィルムキャリア１２に向けて光を発する。
【００１５】
なお、光源ユニット１４に用いられる発光体はＬＥＤ２８に限らず、たとえばハロゲンランプ等でもよい。
【００１６】
図２に示すように、光源ユニット１４の光照射部３０はキャリアベース２４に設けられるスリット３２から突出する。なお、図２では、キャリアベース２４上からフィルムキャリア１２を取り外した状態が示されている。
【００１７】
光照射部３０の主面（フィルムキャリア１２と対向する面）には、光源ユニット１４への塵埃の侵入を防ぐために防塵手段として防塵ガラス３４が取り付けられる。
【００１８】
なお、防塵手段として用いられる部材は透光性の部材であれば防塵ガラス３４に限定されない。防塵ガラス３４に替えて、たとえばディフューザやレンズなどを用いるようにしてもよい。
【００１９】
防塵ガラス３４の主面（フィルムキャリア１２と対向する面）上に塵埃が付着すると光照射部３０から発する光の光量低下や光量斑の原因となる。図１に示すように、下部キャリア１２ｂの搬送レーン２６ａ，２６ｂ間には、防塵ガラス３４の主面を清掃するための清掃手段として清掃ブラシ３６が取り付けられる。
【００２０】
ここで、図４および図５を参照して、下部キャリア１２ｂおよび下部キャリア１２ｂに取り付けられる清掃ブラシ３６について詳しく説明する。
図４に示すように、下部キャリア１２ｂの搬送レーン２６ａ，２６ｂには、それぞれ破線で示す１３５フィルムと２４０フィルムを搬送するための複数の搬送ローラ３８（ここでは１つの搬送レーンについて８個）が設けられる。搬送ローラ３８が回転することによって搬送レーン２６ａ，２６ｂ上のフィルムが矢印Ｂ方向（矢印Ａ方向と直交する方向）に搬送される。
【００２１】
また、搬送レーン２６ａ，２６ｂには、それぞれ光照射部３０から発せられる光を通過させるためのスリット４０ａ，４０ｂがそれぞれ形成される。搬送レーン２６ａ，２６ｂの間かつスリット４０ａ，４０ｂの間には、清掃ブラシ３６を配置するために下部キャリア１２ｂを上方から下方にかけて貫通する配置孔４２が形成される。
【００２２】
清掃ブラシ３６は、配置孔４２に対応した形状の本体４４と本体４４の下方端面に合成樹脂の多数の細毛を植毛した清掃部４６とによって構成される。
【００２３】
なお、清掃部４６に用いられる細毛の材質は合成樹脂に限らず、植物繊維や獣毛等であってもよい。
【００２４】
また、本体４４には取付部４４ａが設けられ、取付部４４ａには貫通孔４８が形成される。貫通孔４８にとめネジ５０を挿通し、とめネジ５０を下部キャリア１２ｂのボルト孔５２に螺入することで、配置孔４２に配置された清掃ブラシ３６が下部キャリア１２ｂに取り付けられる。清掃ブラシ３６は必要に応じて下部キャリア１２ｂから取り外され、たとえば清掃部４６の清掃等が行われる。
【００２５】
図５に示すように、下部キャリア１２ｂに清掃ブラシ３６が取り付けられた状態では、本体４４の下方端面および清掃部４６が下部キャリア１２ｂの下面（光照射部３０と対向する面）から突出する。下部キャリア１２ｂの下面から突出した清掃部４６の下端部は、光照射部３０と接触し（図１参照）、光源ユニット１４が矢印Ａ方向に移動する際に防塵ガラス３４の主面と接触可能に配置される。
【００２６】
また、下部キャリア１２ｂには複数の搬送ローラ３８を回転させるための搬送モータ５４（図４では図示せず）が取り付けられる。搬送モータ５４の回転軸が回転することによってベルト５６を介してローラ５８が回転する。ローラ５８が回転することによってベルト６０を介して複数の搬送ローラ３８が回転し、搬送レーン２６ａ，２６ｂ上のフィルムが矢印Ｂ方向に搬送される。
【００２７】
なお、搬送モータ５４の回転方向を変更すれば矢印Ｂ方向の反対方向にフィルムを搬送できることは言うまでもない。
【００２８】
図１に戻って、光源ユニット１４には連結手段として連結部材１８が取り付けられる。連結部材１８の端部１８ａにはフィルムに形成された画像を読み取るための読取手段であるスキャナカメラユニット１６がボルト６２によって固定される。
【００２９】
連結部材１８を介して光源ユニット１４とスキャナカメラユニット１６とが連結された状態では、光源ユニット１４が発する光の光路上にスキャナカメラユニット１６のレンズユニット６４とＣＣＤユニット６６とが配列される。
【００３０】
スキャナカメラユニット１６は、フィルムを透過した光を結像するための結像手段であるレンズユニット６４とレンズユニット６４によって結像された光を電気信号に変換するための光電変換手段であるＣＣＤユニット６６とを含む。
【００３１】
レンズユニット６４は、ズームレンズ６８を含み、搬送レーン２６ａあるいは２６ｂ上のフィルムに形成される画像の像をＣＣＤユニット６６のラインＣＣＤセンサ７０に投影する。
【００３２】
ＣＣＤユニット６６は、ラインＣＣＤセンサ７０とＡ／Ｄ変換器７２とを含む。ラインＣＣＤセンサ７０の受光面には、赤色（Ｒ）、緑色（Ｇ）、青色（Ｂ）に対応する受光素子（ＣＣＤ素子）がそれぞれ矢印Ａ方向に多数（たとえば５０００個）配列される。各ＣＣＤ素子は受けた光（像）をそれぞれアナログデータに変換し、Ａ／Ｄ変換器７２に入力する。Ａ／Ｄ変換器７２は、ラインＣＣＤセンサ７０から入力されたアナログデータをデジタルデータに変換して出力する。
【００３３】
また、連結部材１８には位置切替手段であるレーンチェンジユニット２０のネジ受け部７４が取り付けられる。
レーンチェンジユニット２０は、連結部材１８を介して連結される光源ユニット１４とスキャナカメラユニット１６とを搬送レーン２６ａに対応した読取位置（１３５フィルム読取位置）から搬送レーン２６ｂに対応した読取位置（２４０フィルム読取位置）へあるいは搬送レーン２６ｂに対応した読取位置から搬送レーン２６ａに対応した読取位置へと移動させる。
レーンチェンジユニット２０は、ネジ受け部７４と送りネジ７６とレーンチェンジモータ７８とを含む。
【００３４】
ネジ受け部７４は連結部材１８に取り付けられ、ネジ受け部７４に設けられる雌ネジ部７４ａには図示しないネジ溝が形成される。
【００３５】
送りネジ７６は、ベース２２上に取り付けられる支持板８０によって回転可能に支持される。支持板８０を貫通する送りネジ７６の端部には、ギヤ８２が取り付けられる。また、送りネジ７６には、ネジ受け部７４の雌ネジ部７４ａに対応する図示しないネジ山が形成されている。これによって送りネジ７６がネジ受け部７４に螺合される。
【００３６】
レーンチェンジモータ７８は、支持板８０に回転軸を貫通して取り付けられ、回転軸の端部にはギヤ８４が取り付けられる。レーンチェンジモータ７８を駆動しギヤ８４を回転させることで、支持板８０に取り付けられる図示しない複数のギヤを介して、ギヤ８２ひいては送りネジ７６が回転する。ネジ受け部７４に螺合される送りネジ７６が回転することによって、ネジ受け部７４が取り付けられる連結部材１８および連結部材１８を介して連結される光源ユニット１４とスキャナカメラユニット１６とが矢印Ａ方向に移動する。つまり、搬送レーン２６ａに対応した読取位置から搬送レーン２６ｂに対応した読取位置へあるいは搬送レーン２６ｂに対応した読取位置から搬送レーン２６ａに対応した読取位置へと読取位置の切り替えが行われる。
【００３７】
すなわち、フィルムスキャナ１０では、レーンチェンジユニット２０によって読取位置を切り替え、搬送レーン２６ａ，２６ｂのいずれか一方を搬送されるフィルムに向けて光源ユニット１４から光を発し、スキャナカメラユニット１６によってフィルムに形成される画像の像（光）をデジタルデータに変換する。
【００３８】
なお、図１では、搬送レーン２６ａに対応した読取位置に光源ユニット１４およびスキャナカメラユニット１６が配置されている場合について示されている。
【００３９】
図３に示すように、スキャナカメラユニット１６から出力されたデジタルデータは制御ユニット８６に入力される。制御ユニット８６は、各種プログラムやデータを記憶する図示しないハードディスクドライブ（ＨＤＤ：ハードディスクを含む）を含み、スキャナカメラユニット１６から入力されるデジタルデータを画像データとしてＨＤＤに記録する。
【００４０】
また、制御ユニット８６にはＣＲＴ等の表示部８８が接続され、スキャナカメラユニット１６から出力されるデジタルデータは、制御ユニット８６を介して表示部８８にフィルムに形成されるコマ画像として表示される。
【００４１】
さらに、制御ユニット８６にはキーボードやマウス等の入力部９０が接続され、入力部９０から種々の設定やデータ入力等が行われる。制御ユニット８６は、入力部９０から入力される情報やフィルムスキャナ１０の各構成要素から入力される情報に基づき、フィルムスキャナ１０の動作を制御する。具体的に、制御ユニット８６は、搬送モータ５４およびレーンチェンジモータ７８の回転方向や回転角度の制御、読取位置の切り替えに伴うズームレンズ６８の合焦制御等を行う。
【００４２】
上述のように構成されるフィルムスキャナ１０では、光源ユニット１４を移動させる（読取位置の切り替えを行う）ことで、下部キャリア１２ｂに取り付けられる清掃ブラシ３６によって防塵ガラス３４の主面が自動的に清掃される。
【００４３】
図６および図７を参照して、光源ユニット１４の移動に伴う防塵ガラス３４の清掃について説明する。ここでは、搬送レーン２６ａに対応した読取位置から搬送レーン２６ｂに対応した読取位置へと読取位置の切り替えを行う場合について説明する。
【００４４】
入力部９０を介して読取位置の切り替えの指示が与えられることによって、搬送レーン２６ａに対応した読取位置から搬送レーン２６ｂに対応した読取位置へと読取位置の切り替えが開始される。
【００４５】
搬送レーン２６ａに対応した読取位置から搬送レーン２６ｂに対応した読取位置への読取位置の切り替えに伴って、光源ユニット１４は、図６に示す位置から矢印Ａ方向の支持板８０側に向けて、図７に示す位置まで移動する。このとき、防塵ガラス３４の主面と清掃ブラシ３６の清掃部４６とが接触し、光源ユニット１４の移動に伴って防塵ガラス３４の主面上に付着した塵埃が清掃部４６によって除去される（拭き取られる）。
【００４６】
なお、搬送レーン２６ｂに対応した読取位置から搬送レーン２６ａに対応した読取位置へと読取位置の切り替えを行っても防塵ガラス３４を清掃できることは言うまでもない。
【００４７】
このようなフィルムスキャナ１０によれば、下部キャリア１２ｂに簡単な構成の清掃ブラシ３６を取り付けることで読取位置の切り替えに伴って自動的に効率よく防塵ガラス３４の清掃を行い、除去された塵埃が再び防塵ガラス３４の主面上に付着することもなく、適正な光をフィルムに与えることができる。
【００４８】
なお、上述の実施形態では、本体４４の下方端面に多数の細毛を植毛した清掃部４６を有する固定式の清掃ブラシ３６について説明したが、多数の細毛が植毛されたローラ等の清掃部４６を本体４４に取り付けた回転式の清掃ブラシ３６を用いてもよい。また、本体４４に清掃部４６としてゴムブレード、植毛布、植毛紙、粘着ローラ等を取り付けた清掃ブラシ３６を用いるようにしてもよい。また、清掃部４６を防塵ガラス３４の主面と接するように配置できれば、清掃ブラシ３６の形状や下部キャリア１２ｂへの取り付け態様は限定されない。
【００４９】
また、上述の実施形態では、フィルムキャリア１２に１３５フィルムを搬送する搬送レーン２６ａと２４０フィルムを搬送する搬送レーン２６ｂが設けられる場合について説明したが、フィルムキャリア１２が搬送するフィルムの種類および組合せは限定されない。たとえば、フィルムキャリア１２に１３５フィルムを搬送する搬送レーン２６ａとブローニフィルムを搬送する搬送レーン２６ｂとを設けるようにしてもよい。
【００５０】
さらに、上述の実施形態では、フィルムキャリア１２が２つの搬送レーン２６ａ，２６ｂを有する場合について説明したが、フィルムキャリア１２の搬送レーンの数および搬送レーン間に取り付けられる清掃ブラシ３６の数は限定されない。たとえば、フィルムキャリア１２に３つの搬送レーンを設け、隣接する搬送レーンの間にそれぞれ清掃ブラシ３６を取り付けるようにしてもよい。
【００５１】
また、上述の実施形態では、フィルムを透過した光に基づいて画像を読み取るフィルムスキャナについて説明したが、光源手段から光を発する画像読取装置であればこの発明を適用できる。たとえば、光源手段から印画紙等の非透光性の被露光媒体に向けて光を発し、当該被露光媒体を反射した光に基づいて画像を読み取る画像読取装置にもこの発明を適用できる。
【図面の簡単な説明】
【００５２】
【図１】この発明が適用されるフィルムスキャナの一例を示す断面図解図である。
【図２】フィルムキャリアを取り外した図１のフィルムスキャナを示す外観斜視図である。
【図３】図１のフィルムスキャナを示すブロック図である。
【図４】下部キャリアと下部キャリアに取り付けられる清掃ブラシとの一例を示す斜視図である。
【図５】下部キャリアの下面と下部キャリアに取り付けられた清掃ブラシの清掃部とを示す斜視図である。
【図６】清掃ブラシと搬送レーン２６ａに対応した読取位置に配置される光源ユニットとの位置関係を示す断面図解図である。
【図７】清掃ブラシと搬送レーン２６ｂに対応した読取位置に配置される光源ユニットとの位置関係を示す断面図解図である。
【符号の説明】
【００５３】
１０      フィルムスキャナ
１２      フィルムキャリア
１２ｂ      下部キャリア
１４      光源ユニット
１６      スキャナカメラユニット
１８      連結部材
２０      レーンチェンジユニット
２４      キャリアベース
２６ａ，２６ｂ      搬送レーン
３０      光照射部
３２      スリット
３４      防塵ガラス
３６      清掃ブラシ
４２      配置孔
４４      本体
４６      清掃部
【図１】
2005236733.tif 000003
【図２】
2005236733.tif 000004
【図３】
2005236733.tif 000005
【図４】
2005236733.tif 000006
【図５】
2005236733.tif 000007
【図６】
2005236733.tif 000008
【図７】
2005236733.tif 000009